(57)【特許請求の範囲】
【請求項１】
左眼用映像及び右眼用映像を所定の周期で画面全体に交互にディスプレイする時分割立体映像ディスプレイ装置において、
ホールドタイプのディスプレイパネルと、
前記ディスプレイパネルの全面に配置されたものであって、入射光の偏光方向を変換させるように独立的に駆動されるＮ個のセグメントに分割された分割型偏光スイッチと、
前記分割型偏光スイッチのそれぞれのセグメントが、そのセグメントに対応するディスプレイパネルの映像走査時間に同期されて駆動されるように制御する制御部と、を備え、
前記制御部は、前記分割型偏光スイッチの最初のセグメントに駆動信号が印加される時点が、前記ディスプレイパネルに垂直同期信号が印加された後に映像が走査され始めるまでのブランク時間より遅延するように制御すると共に、
前記制御部は、前記分割型偏光スイッチの最初のセグメントに印加される駆動信号の遅延時間をＤとし、分割型偏光スイッチの隣接する二つのセグメント間の駆動時間の間隔をＳとするとき、ＤとＳを調節することができるように、前記ディスプレイパネルの一つのフレームの周期をＴとするとき、前記分割型偏光スイッチのスイッチング開始時点を０〜Ｔまで調節できる遅延部をさらに備える
ことを特徴とする時分割立体映像ディスプレイ装置。
【請求項２】
Ｄ＝０.８＊Ｓｍｓであることを特徴とする請求項１に記載の時分割立体映像ディスプレイ装置。
【請求項３】
前記ディスプレイパネルに垂直同期信号が印加された後に映像が走査され始めるまでのブランク時間をＢとするとき、Ｓ＝（Ｔ−Ｂ）／Ｎであることを特徴とする請求項２に記載の時分割立体映像ディスプレイ装置。
【請求項４】
前記ホールドタイプのディスプレイパネルは、ＬＣＤであることを特徴とする請求項３に記載の時分割立体映像ディスプレイ装置。
【請求項５】
前記ホールドタイプのディスプレイパネルは、ＰＤＰ、ＯＬＥＤ及びＦＥＤのうち何れか一つであり、前記ディスプレイパネルと分割型偏光スイッチとの間に線偏光板が配置されることを特徴とする請求項１に記載の時分割立体映像ディスプレイ装置。
【請求項６】
前記時分割立体映像ディスプレイ装置は、偏光眼鏡式であることを特徴とする請求項１に記載の時分割立体映像ディスプレイ装置。
【請求項７】
ホールドタイプのディスプレイパネルと、入射光の偏光方向を変換させるように独立的に駆動されるＮ個のセグメントに分割された分割型偏光スイッチと、前記分割型偏光スイッチのそれぞれのセグメントが、そのセグメントに対応するディスプレイパネルの映像走査時間に同期されて駆動されるように制御する制御部と、を備える時分割立体映像ディスプレイ装置の駆動方法であって、
前記制御部は、前記分割型偏光スイッチの最初のセグメントに駆動信号が印加される時点が、前記ディスプレイパネルに垂直同期信号が印加された後に映像が走査され始めるまでのブランク時間より遅延するように制御すると共に、
前記制御部は、前記分割型偏光スイッチの最初のセグメントに印加される駆動信号の遅延時間をＤとし、分割型偏光スイッチの隣接する二つのセグメント間の駆動時間の間隔をＳとするとき、ＤとＳを調節することができるように、前記ディスプレイパネルの一つのフレームの周期をＴとするとき、前記分割型偏光スイッチのスイッチング開始時点を０〜Ｔまで調節する
ことを特徴とする時分割立体映像ディスプレイ装置の駆動方法。
【請求項８】
Ｄ＝０.８＊Ｓｍｓであることを特徴とする請求項７に記載の時分割立体映像ディスプレイ装置の駆動方法。
【請求項９】
前記ディスプレイパネルに垂直同期信号が印加された後に映像が走査され始めるまでのブランク時間をＢとするとき、Ｓ＝（Ｔ−Ｂ）／Ｎであることを特徴とする請求項８に記載の時分割立体映像ディスプレイ装置の駆動方法。
【請求項１０】
前記ホールドタイプのディスプレイパネルは、ＬＣＤであることを特徴とする請求項７に記載の時分割立体映像ディスプレイ装置の駆動方法。
【請求項１１】
バックライトユニットと、
前記バックライトユニットから放出された光が特定の偏光方向のみを有するようにする偏光板と、
電気的制御によって入射光の偏光方向を変換させる偏光スイッチと、
複数の第１複屈折素子及び第２複屈折素子が交互に形成されたものであって、前記第１複屈折素子及び第２複屈折素子を透過した光の偏光方向が相互直交するように、入射光の偏光方向を変換させる複屈折素子アレイと、
入射光を第１視域と第２視域とに分離して出射させるレンチキュラーレンズシートと、
映像をディスプレイする液晶ディスプレイパネルとを備え、
前記偏光スイッチは、前記液晶ディスプレイパネルの映像走査時間に同期されて順次にスイッチングされるＮ個のセグメントに分割されており、前記偏光スイッチの最初のセグメントに駆動信号が印加される時点が、前記液晶ディスプレイパネルに垂直同期信号が印加された後に映像が走査され始めるまでのブランク時間より遅延するように制御されると共に、
前記偏光スイッチの最初のセグメントに印加される駆動信号の遅延時間をＤとし、偏光スイッチの隣接する二つのセグメント間の駆動時間の間隔をＳとするとき、ＤとＳを調節することができるように、前記液晶ディスプレイパネルの一つのフレームの周期をＴとするとき、前記偏光スイッチのスイッチング開始時点を０〜Ｔまで調節する
ことを特徴とする立体映像ディスプレイ装置。
【請求項１２】
Ｄ＝０.８＊Ｓｍｓであることを特徴とする請求項１１に記載の立体映像ディスプレイ装置。
【請求項１３】
前記液晶ディスプレイパネルに垂直同期信号が印加された後に映像が走査され始めるまでのブランク時間をＢとするとき、Ｓ＝（Ｔ−Ｂ）／Ｎであることを特徴とする請求項１２に記載の立体映像ディスプレイ装置。
【請求項１４】
前記偏光スイッチのそれぞれのセグメントは、透過光の偏光方向の相異なる第１状態ないし第３状態の間でスイッチングされることを特徴とする請求項１１に記載の立体映像ディスプレイ装置。
【請求項１５】
前記偏光スイッチは、入射光の偏光方向を変換させない第１状態、入射光の偏光方向を４５°ほど変換させる第２状態、及び入射光の偏光方向を９０°ほど変換させる第３状態の間でスイッチングされることを特徴とする請求項１４に記載の立体映像ディスプレイ装置。
【請求項１６】
前記複屈折素子アレイは、複数の垂直の第１複屈折素子及び第２複屈折素子を水平方向に沿って交互に配列することによって形成されたことを特徴とする請求項１１に記載の立体映像ディスプレイ装置。
【請求項１７】
前記レンチキュラーレンズシートは、前記複屈折素子アレイの複屈折素子と平行である複数の垂直のレンチキュラーレンズ素子が水平方向に沿って配列されて形成されたことを特徴とする請求項１６に記載の立体映像ディスプレイ装置。
【請求項１８】
前記バックライトユニットは、前記液晶ディスプレイパネルの映像走査時間に同期されて順次にスイッチングされるＮ個のセグメントに分割されていることを特徴とする請求項１１に記載の立体映像ディスプレイ装置。
【請求項１９】
前記バックライトユニット及び偏光スイッチの相互対応するセグメントは、同時にスイッチングされることを特徴とする請求項１８に記載の立体映像ディスプレイ装置。
【発明の詳細な説明】
【技術分野】
【０００１】
本発明は、時分割立体映像ディスプレイ装置及びその駆動方法に係り、さらに詳細には、ＬＣＤ（液晶表示）のようなホールドタイプのディスプレイを利用した時分割立体映像ディスプレイ装置及びその駆動方法に関する。
【背景技術】
【０００２】
時分割立体映像ディスプレイ装置は、左眼用映像及び右眼用映像を非常に短い周期で画面全体に交互にディスプレイすると同時に、左眼用映像及び右眼用映像のディスプレイ周期に同期して左眼及び右眼に映像を分離して提供する立体映像ディスプレイ装置である。例えば、液晶シャッタ眼鏡式は、左眼用映像がディスプレイされる間に、液晶シャッタ眼鏡の左眼部が光を透過させ、右眼部が遮光する。また、右眼用映像がディスプレイされる間に、液晶シャッタ眼鏡の右眼部が光を透過させ、左眼部が遮光する。しかし、液晶シャッタ眼鏡式は、液晶シャッタ眼鏡及びディスプレイを同期させるための複雑な装置及び駆動回路が必要であり、非常に高価であるという短所がある。
【０００３】
特許文献１は、図１に示すように、ＣＲＴ（陰極線管）ディスプレイ１１の全面に９０°往復回転する線偏光板１２を配置した機械式構造の時分割立体映像ディスプレイ装置を開示している。図１に示す立体映像ディスプレイ装置の場合、線偏光板１２を往復回転させることによって、左眼用映像がディスプレイされる間の線偏光板１２の角度と、右眼用映像がディスプレイされる間の線偏光板１２の角度とを異ならせる。その後、偏光眼鏡の二枚の偏光板１３ａ、１３ｂがそれぞれ左眼用映像と右眼用映像とを分離する。
【０００４】
また、特許文献２は、図２に示すように、ＣＲＴディスプレイ１１の全面に線偏光板１４を固定させ、前記線偏光板１４の全面に偏光スイッチ１５を配置した電気−光学式構造の時分割立体映像ディスプレイ装置を開示している。偏光スイッチ１５は、印加電圧の大きさによって入射光の偏光方向を変える特性を有する。したがって、図２に示す立体映像ディスプレイ装置の場合、偏光スイッチ１５に印加される電圧を調節することによって、左眼用映像がディスプレイされる間に偏光スイッチ１５が入射光の偏光方向を一方向に変える。また、右眼用映像がディスプレイされる間に偏光スイッチ１５が、入射光の偏光方向を他の方向に変える。その後、偏光眼鏡の二枚の偏光板１３ａ、１３ｂがそれぞれ左眼用映像と右眼用映像とを分離する。
【０００５】
しかし、前記のような方式の場合、クロストークが問題となる。図３に示すように、ディスプレイ装置は、一つのフレームの映像を画面の上側から下側に順次に走査し、画面の下側で以前フレームの映像がディスプレイされている間、画面の上側では次のフレームの映像がディスプレイされる。例えば、一つのフレームが完全に走査される時間をＴとすると、時間０では右眼用映像が画面全体でディスプレイされ、時間Ｔでは左眼用映像が画面全体でディスプレイされる。しかし、時間０とＴとの間では、右眼用映像が左眼用映像に連続的に変わっているので、画面の上側には左眼用映像がディスプレイされ、画面の下側には右眼用映像がディスプレイされる。その結果、左眼用映像と右眼用映像とが画面を共有する時間が存在する。したがって、図１及び図２に示すように、ディスプレイ画面全体の映像に対して偏光方向を変えれば、右眼用映像と左眼用映像とが完全に分離されず、混ざって表されるクロストーク現象が発生する。
【０００６】
このような問題を解決するために、特許文献３は、分割型偏光スイッチの使用を提案している。分割型偏光スイッチは、縦方向に複数のセグメントに分割された偏光スイッチであって、それぞれのセグメントには、そのセグメントに対応するＣＲＴの映像走査時間に同期されて、電圧信号が印加される。従来の場合、一つのセグメントに電圧信号が印加され始める時点は、そのセグメントに対応するＣＲＴの映像走査時点より早いが、これは、偏光スイッチが正常の状態に到達するまである程度転移期間が必要であるためである。
【０００７】
図４は、ＣＲＴを利用した従来の時分割立体映像ディスプレイ装置において５分割偏光スイッチを駆動する方式を例示的に示すタイミング図である。例えば、偏光スイッチのそれぞれのセグメントは、印加電圧がハイであるとき、出射光の偏光方向が偏光眼鏡の左眼用偏光板と一致するように入射光の偏光方向を変え、印加電圧がローであるとき、出射光の偏光方向が偏光眼鏡の右眼用偏光板と一致するように入射光の偏光方向を変えると仮定する。また、図４において、画面が更新される周期はＴとし、画面が走査され始めるまでのブランク時間をＢとし、ＣＲＴの蛍光体が発光する瞬間をＰとする。ディスプレイとしてＣＲＴを使用する従来の場合、偏光スイッチングは、映像が走査され始める時点よりＤだけ早く始まるように設定される。これは、偏光スイッチが転移されるとき、ある程度の時間がかかるためである。これにより、インパルス方式で蛍光体を瞬間発光させるＣＲＴの場合、図４に示すように、偏光スイッチの各セグメントの駆動時間は、そのセグメントと対応するＣＲＴの左眼用／右眼用の映像ディスプレイ時間Ｐと一致する。したがって、クロストークが発生しない。
【０００８】
前述の従来の技術は、ディスプレイ装置として再生速度が十分に速いＣＲＴを使用する場合に関する。ところが、最近、非常に高い再生速度を有するＬＣＤパネルが開発されるにつれて、時分割立体映像ディスプレイ装置のディスプレイパネルとしてＣＲＴの代わりにＬＣＤを使用することが可能になった。しかし、瞬間発光するインパルス方式のＣＲＴとは異なり、ＬＣＤは、オン中に発光状態が維持されるホールドタイプとして駆動され、応答速度もまたＣＲＴに比べて遅いという短所がある。したがって、ディスプレイ装置としてＬＣＤを使用する場合には、前述の分割型偏光スイッチの駆動方式をそのまま適用しても、クロストークが低減する効果が得られないという問題がある。
【特許文献１】米国特許第３，８５８，００１号明細書
【特許文献２】米国特許第４，７１９，５０７号明細書
【特許文献３】国際公開ＷＯ９８／４４７４６号パンフレット
【発明の開示】
【発明が解決しようとする課題】
【０００９】
本発明の目的は、ＬＣＤのようなホールドタイプのディスプレイを利用した時分割立体映像ディスプレイ装置及びその駆動方法を提供することである。
【課題を解決するための手段】
【００１０】
本発明の一類型によれば、左眼用映像及び右眼用映像を所定の周期で画面全体に交互にディスプレイする時分割立体映像ディスプレイ装置において、ホールドタイプのディスプレイパネルと、前記ディスプレイパネルの全面に配置されたものであって、入射光の偏光方向を変換させるように独立的に駆動されるＮ個のセグメントに分割された分割型偏光スイッチと、前記分割型偏光スイッチのそれぞれのセグメントが、そのセグメントに対応するディスプレイパネルの映像走査時間に同期されて駆動されるように制御する制御部と、を備え、前記制御部は、前記分割型偏光スイッチの最初のセグメントに駆動信号が印加される時点が、前記ディスプレイパネルに垂直同期信号が印加された後に映像が走査され始める時点より遅延するように制御することを特徴とする。
【００１１】
本発明の望ましい実施形態によれば、前記分割型偏光スイッチの最初のセグメントに印加される駆動信号の遅延時間をＤとし、分割型偏光スイッチの隣接する二つのセグメント間の駆動時間の間隔をＳとするとき、Ｄ＝０.８＊Ｓｍｓであることを特徴とする。
【００１２】
また、前記ディスプレイパネルの一つのフレームの周期をＴとし、前記ディスプレイパネルに垂直同期信号が印加された後に映像が走査され始めるまでのブランク時間をＢとするとき、Ｓ＝（Ｔ−Ｂ）／Ｎであることを特徴とする。
【００１３】
前記制御部は、前記偏光スイッチのスイッチング開始時点を０〜Ｔまで調節できる遅延部をさらに備えうる。
【００１４】
例えば、前記ホールドタイプのディスプレイパネルは、ＬＣＤでありうる。
【００１５】
または、前記ホールドタイプのディスプレイパネルは、ＰＤＰ、ＯＬＥＤ及びＦＥＤのうち何れか一つであり、この場合、前記ディスプレイパネルと分割型偏光スイッチとの間に線偏光板がさらに配置される。
【００１６】
本発明によれば、前記立体映像ディスプレイ装置は、偏光眼鏡式である。
【００１７】
また、本発明の他の類型によれば、ホールドタイプのディスプレイパネルと、入射光の偏光方向を変換させるように独立的に駆動されるＮ個のセグメントに分割された分割型偏光スイッチと、前記分割型偏光スイッチのそれぞれのセグメントが、そのセグメントに対応するディスプレイパネルの映像走査時間に同期されて駆動されるように制御する制御部と、を備える時分割立体映像ディスプレイ装置の駆動方法であって、前記制御部は、前記分割型偏光スイッチの最初のセグメントに駆動信号が印加される時点が、前記ディスプレイパネルに垂直同期信号が印加された後に映像が走査され始める時点より遅延するように制御することを特徴とする。
【００１８】
また、本発明の他の類型による立体映像ディスプレイ装置は、バックライトユニットと、前記バックライトユニットから放出された光が特定の偏光方向のみを有するようにする偏光板と、電気的制御によって入射光の偏光方向を変換させる偏光スイッチと、複数の第１複屈折素子及び第２複屈折素子が交互に形成されたものであって、前記第１複屈折素子及び第２複屈折素子を透過した光の偏光方向が相互直交するように、入射光の偏光方向を変換させる複屈折素子アレイと、入射光を第１視域と第２視域とに分離して出射させるレンチキュラーレンズシートと、映像をディスプレイする液晶ディスプレイパネルと、を備え、前記偏光スイッチは、前記液晶ディスプレイパネルの映像走査時間に同期されて順次にスイッチングされるＮ個のセグメントに分割されており、前記偏光スイッチの最初のセグメントに駆動信号が印加される時点が、前記液晶ディスプレイパネルに垂直同期信号が印加された後に映像が走査され始める時点より遅延するように制御されることを特徴とする。
【発明の効果】
【００１９】
本発明によれば、ＬＣＤのようなホールドタイプのディスプレイを使用する場合にも、クロストークがほとんどない時分割立体映像ディスプレイ装置を提供できる。
【発明を実施するための最良の形態】
【００２０】
以下では、図面を参照して本発明の望ましい実施形態を詳細に説明する。
【００２１】
図６は、ホールドタイプのディスプレイパネルを利用した本発明の一実施形態に係る眼鏡式時分割立体映像ディスプレイ装置を概略的に示す図である。図６に示すように、前記時分割立体映像ディスプレイ装置は、ホールドタイプのディスプレイパネル２１、線偏光板２２、分割型偏光スイッチ２３及び制御部２４を備えている。
【００２２】
前述のように、ホールドタイプのディスプレイパネル２１は、オン中には画素が発光状態を維持しており、例えば、ＬＣＤがその代表的な例である。また、ＬＣＤ以外にもプラズマディスプレイパネル（ＰＤＰ）、有機発光素子（ＯＬＥＤ）、電界放出表示素子（ＦＥＤ）なども、ホールドタイプのディスプレイパネルとして使用できる。
【００２３】
線偏光板２２は、ディスプレイパネルから放出される光のうち、特定の偏光方向の光のみを透過させることによって、偏光スイッチ２３に入射する光が全て同じ偏光方向のみを有させる役割を行う。しかし、ディスプレイパネル２１としてＬＣＤを使用する場合、ＬＣＤの全面基板に既に線偏光板のみが付着されているため、別途の線偏光板２２は不要である。線偏光板２２は、例えば、ＰＤＰ、ＯＬＥＤ、ＦＥＤのように、無偏光状態の光を放出するホールドタイプのディスプレイパネルを使用する場合に要求される。
【００２４】
偏光スイッチ２３は、電気的駆動信号によって入射光の偏光方向を特定の方向に変換する役割を行う。前記偏光スイッチ２３は、縦方向に沿って複数の水平セグメントに分割された分割型偏光スイッチである。このように分割されたそれぞれのセグメントは、独立的に駆動されうる。前述のように、ディスプレイパネル２１は、一つのフレームの映像を画面の上側から下側に順次に走査し、画面の下側から以前フレームの映像がディスプレイされている間に、画面の上側では、次のフレームの映像がディスプレイされる。したがって、分割型偏光スイッチ２３のそれぞれのセグメントは、そのセグメントに対応するディスプレイパネル２１の映像走査時間に同期されて駆動されるように、制御部２４により制御される。
【００２５】
例えば、ディスプレイパネル２１が左眼用映像をディスプレイする間、対応する偏光スイッチ２３のセグメントは、出射光の偏光方向が−４５°になるように制御される。次のフレームでディスプレイパネル２１が右眼用映像をディスプレイする間、対応する偏光スイッチ２３のセグメントは、出射光の偏光方向が＋４５°になるように制御される。それにより、−４５°の偏光方向を有する左眼用映像は、偏光眼鏡２５の左眼用偏光板を透過し、＋４５°の偏光方向を有する右眼用映像は、偏光眼鏡２５の右眼用偏光板を透過する。したがって、観察者は、立体映像を鑑賞することができる。
【００２６】
このとき、クロストークを防止するために、制御部２４は、ディスプレイパネル２１で映像が走査され始める時点より、偏光スイッチ２３の偏光スイッチング動作が所定時間遅延され始めるように制御する。前述のように、ディスプレイパネルとしてＣＲＴを使用する従来の技術の場合、偏光スイッチングは、映像が走査され始める時点より早く始まるように設定された。しかし、従来の駆動方法をそのまま使用する場合、図５に示すように、ディスプレイパネル２１と偏光スイッチ２３とが正確に同期しない。その結果、左眼用映像Ｌの一部が右眼用映像Ｒの偏光状態を有するか、右眼用映像Ｒの一部が左眼用映像Ｌの偏光状態を有する。したがって、偏光眼鏡２５を通過する映像に左眼用映像と右眼用映像とが混ざっているクロストークが激しく発生する。このようなクロストークの原因は、瞬間発光するインパルス方式のＣＲＴとは異なり、ホールドタイプのディスプレイパネルがオンになっている間に画素が発光状態を維持しており、応答速度もＣＲＴに比べて遅いためである。このような問題を解決するために、本発明は、偏光スイッチ２３のスイッチング動作を、ディスプレイパネル２１で映像が走査され始める時点より遅く始める。
【００２７】
図７及び図８は、本発明によって分割型偏光スイッチ２３を駆動する方式を示すタイミング図である。図７は、偏光スイッチ２３に印加される駆動信号として準静的駆動信号を使用する場合を示し、図８は、キャリア駆動信号を使用する場合を示している。図７及び図８において、分割型偏光スイッチ２３は、例示的に５個のセグメントＳ１ないしＳ５に分割されたものと示されている。また、例えば、偏光スイッチ２３は、駆動信号の絶対値がハイであるとき、出射光の偏光方向が偏光眼鏡２５の左眼用偏光板と一致するように入射光の偏光方向を変え、駆動信号の絶対値がローであるとき、出射光の偏光方向が偏光眼鏡２５の右眼用偏光板と一致するように入射光の偏光方向を変える。図７及び図８において、Ｔは、ディスプレイパネル２１の一つのフレームの周期、Ｂは、ディスプレイパネル２１に垂直同期信号が印加された後、映像が走査され始めるまでのブランク時間である。
【００２８】
本発明によれば、図７及び図８に示すように、分割型偏光スイッチ２３の最初のセグメントＳ１に駆動信号が印加される時点は、ディスプレイパネル２１に垂直同期信号が印加された後、映像が走査され始めるまでのブランク時間ＢよりＤ（ｍｓ）ほど遅延する。その後、図７及び図８に示すように、その次のセグメントからは、現在のセグメントより時間Ｓほど遅延されて駆動信号が印加される。偏光スイッチ２３のセグメント数をＮとするとき、Ｓは、次の数式１のように求められる。本発明の望ましい実施形態によれば、前記遅延時間Ｄ及びＳを適切に調節できるように、制御部２４は、偏光スイッチ２３のスイッチング時点を０〜Ｔまで調節できる遅延部（図示せず）を備えることが望ましい。
【００２９】
Ｓ＝（Ｔ−Ｂ）／Ｎ
偏光スイッチ２３のスイッチング遅延時間Ｄが最適になれば、図９に示すように、分割型偏光スイッチ２３の各セグメントが駆動される時間と、そのセグメントに対応するホールドタイプのディスプレイパネル２１で映像が走査される時間がほぼ一致する。したがって、クロストークがほとんど発生しない。下記表１は、最適の遅延時間Ｄを決定するために、偏光スイッチ２３の動作時点の変化によるクロストークの変化量をシミュレーションした結果を表す。ここで、偏光スイッチ２３は、５個のセグメントに分割されたと仮定し、ブランク時間Ｂは、０ｍｓと仮定した。クロストークの量は、左眼用映像を完全なホワイト映像に、右眼用映像を完全なブラック映像にディスプレイする時、左眼用映像に混ざり込むブラック映像の強度のホワイト映像の強度に対する割合で定義した。表１に表すように、ＬＣＤの再生速度（ｒｅｆｒｅｓｈ  ｒａｔｅ：ＦＲ）に関係なく、Ｄ値が０.８＊Ｓｍｓであるときのクロストークが最小であるということが分かる。また、Ｄ値が負数である場合（すなわち、偏光スイッチ２３がブランク時間より先に動作し始める場合）のクロストーク量は、Ｄ値が正数である場合のクロストーク量に比べてはるかに多い。しかし、Ｄ値が過度に大きくなっても、クロストーク量が再び増加する。
【００３０】
【表１】
0005426078.tif 000002
図１０Ａないし図１１Ｂは、前記のような表１のシミュレーション結果を示すグラフである。図１０Ａは、ＬＣＤの再生速度が７５Ｈｚであり、Ｄ値が−０.８＊Ｓｍｓ（すなわち、−０.８＊２.６６ｍｓ＝−２.１３ｍｓ）である場合に、経時的な偏光スイッチの各セグメント別の偏光スイッチング動作と、それに対応するＬＣＤの映像走査動作とを比較している。図１０Ａに示すように、Ｄ値が−０.８＊Ｓｍｓである場合には、偏光スイッチとＬＣＤとが正確に同期していない。また、図１０Ｂは、図１０Ａと同じ条件で、一つのフレームの間にホワイトチャンネルで検出されるホワイト映像Ｗ及びブラック映像Ｂの経時的な大きさの変化を示す。図１０Ｂに示すように、所望しないブラック映像Ｂがホワイトチャンネルで相当量が検出されている。表１によれば、この場合のクロストーク量は５１％である。一方、図１１Ａは、ＬＣＤの再生速度が７５Ｈｚであり、Ｄ値が０.８＊Ｓｍｓ（すなわち、０.８＊２.６６ｍｓ＝２.１３ｍｓ）である場合に、経時的な偏光スイッチの各セグメント別の偏光スイッチング動作と、それに対応するＬＣＤの映像走査動作とを比較している。図１１Ａに示すように、Ｄ値が０.８＊Ｓｍｓである場合には、偏光スイッチとＬＣＤとがほぼ正確に同期される。また、図１１Ｂは、図１１Ａと同じ条件で一つのフレームの間にホワイトチャンネルで検出されるホワイト映像Ｗ及びブラック映像Ｂの経時的な大きさの変化を示す。図１１Ｂに示すように、この場合には、所望しないブラック映像Ｂがホワイトチャンネルでほとんど検出されていない。表１によれば、この場合のクロストーク量は６.６％である。
【００３１】
以上、時分割立体映像ディスプレイ装置が偏光眼鏡式である場合について説明した。しかし、本発明の原理は、偏光眼鏡を使用しない無眼鏡方式の時分割立体映像ディスプレイ装置にも同じく適用されうる。
【００３２】
図１２は、本発明の他の実施形態に係る無眼鏡式時分割立体映像ディスプレイ装置の構造を例示的に示す断面図である。図１２に示すように、本発明に係る時分割立体映像ディスプレイ装置３０は、バックライトユニット３１、バックライトユニット３１から放出された光のうち、特定の偏光方向の光のみを透過させる偏光板３２、電気的制御によって入射光の偏光方向を変換させる偏光スイッチ３３、入射光の偏光方向を変換させる複数の第１複屈折素子３４ａ及び第２複屈折素子３４ｂが交互に形成された複屈折素子アレイ３４、入射光を左眼視域と右眼視域とに分離して出射させるレンチキュラーレンズシート３５、及び映像をディスプレイする液晶ディスプレイパネル３７を備える。また、液晶ディスプレイパネル３７は、入射側と出射側とにそれぞれ偏光面３８ａ、３８ｂを備える。
【００３３】
前記実施形態と同様に、偏光スイッチ３３は、液晶ディスプレイパネル３７の映像走査時間に同期されて順次にスイッチングされる複数の水平セグメントに分割されている。また、本実施形態によれば、偏光スイッチ３３だけでなく、バックライトユニット３１も独立的にスイッチング可能な複数の水平セグメントに分割されることが望ましい。この場合、偏光スイッチ３３及びバックライトユニット３１の相互対応するセグメントは、同時にスイッチングされるように制御される。
【００３４】
一方、本実施形態によれば、分割型偏光スイッチ３３のそれぞれのセグメントは、そのセグメントを透過する光の偏光方向が順次に４５°ずつ異なる第１状態ないし第３状態の間でスイッチングされることが望ましい。例えば、偏光スイッチ３３は、入射光の偏光方向を変換させない第１状態、入射光の偏光方向を４５°だけ変換させる第２状態、及び入射光の偏光方向を９０°ほど変換させる第３状態を有しうる。このような偏光スイッチ３３は、印加される電圧の大きさによって三つの異方性状態を有する電気的に制御可能な素子から構成される。例えば、電気的に制御可能な液晶リターダを偏光スイッチ３３として使用できる。偏光スイッチ３３が液晶リターダである場合、例えば、第１状態では入射光を遅延させず、第２状態では入射光を１／４波長（λ／４）ほど位相遅延させ、第３状態では入射光を１／２波長（λ／２）ほど位相遅延させる。
【００３５】
また、図１２に示すように、本発明に係る複屈折素子アレイ３４は、複数の第１複屈折素子３４ａ及び第２複屈折素子３４ｂが水平方向に沿って交互に形成される。第１複屈折素子３４ａ及び第２複屈折素子３４ｂは、それぞれ立体映像ディスプレイ装置３０の縦方向に長く形成されており、水平方向に沿って交互に配列されている。本発明の望ましい実施形態によれば、複屈折素子アレイ３４は、第１複屈折素子３４ａ及び第２複屈折素子３４ｂをそれぞれ透過した光の偏光方向が相互直交するように入射光の偏光方向を変換させる役割を行う。
【００３６】
第１複屈折素子３４ａ及び第２複屈折素子３４ｂは、例えば、所定方向の偏光面を有する偏光子からなりうる。この場合、第１複屈折素子３４ａをなす偏光子の偏光面と、第２複屈折素子３４ｂをなす偏光子の偏光面とが相互直交するように構成される。また、第１複屈折素子３４ａ及び第２複屈折素子３４ｂは、入射光を所定の位相ほど遅延させるリターダからなってもよい。この場合、第１複屈折素子３４ａをなすリターダと、第２複屈折素子３４ｂをなすリターダとの位相差がλ／２になるように構成される。例えば、第１複屈折素子３４ａは、位相を遅延させず、第２複屈折素子３４ｂは、λ／２ほど位相遅延させるか、第１複屈折素子３４ａは、−λ／４ほど位相遅延させ、第２複屈折素子３４ｂは＋λ／４ほど位相遅延させてもよい。また、第１複屈折素子３４ａ及び第２複屈折素子３４ｂは、入射光を所定の角度で回転させる回転子からなってもよい。この場合、第１複屈折素子３４ａをなす回転子と、第２複屈折素子３４ｂをなす回転子との回転角度の差は、９０°になるように構成される。例えば、第１複屈折素子３４ａは、入射光を回転させず、第２複屈折素子３４ｂは、９０°回転させるか、第１複屈折素子３４ａは、入射光を−４５°回転させ、第２複屈折素子３４ｂは、＋４５°回転させうる。
【００３７】
したがって、偏光スイッチ３３及び複屈折素子アレイ３４を透過した光は、偏光スイッチ３３の状態によって、次のような偏光方向のうち何れか一つを有しうる。すなわち、（１）第１複屈折素子３４ａを透過した光が、液晶ディスプレイパネル３７の入射側偏光面３８ａに直交し、第２複屈折素子３４ｂを透過した光が、液晶ディスプレイパネル３７の入射側偏光面３８ａに平行である場合、（２）第１複屈折素子３４ａを透過した光が、液晶ディスプレイパネル３７の入射側偏光面３８ａに平行であり、第２複屈折素子３４ｂを透過した光が、液晶ディスプレイパネル３７の入射側偏光面３８ａに直交する場合、または（３）第１複屈折素子３４ａ及び第２複屈折素子３４ｂを透過した光が、何れも円偏光であるか、液晶ディスプレイパネル３７の入射側の偏光面３８ａに４５°傾いた線偏光である場合のうち、何れか一つの偏光状態を有する。
【００３８】
一方、レンチキュラーレンズシート３５は、複数の垂直のレンチキュラーレンズ素子が水平方向に沿って配列されて形成されたものである。したがって、それぞれのレンチキュラーレンズ素子は、複屈折素子アレイ３４の複屈折素子３４ａ、３４ｂと平行に立体映像ディスプレイ装置３０の縦方向に長く形成される。レンチキュラーレンズシート３５は、入射光を左眼視域と右眼視域とに分離して出射させる。すなわち、レンチキュラーレンズシート３５を透過した光は、入射位置によって左眼視域と右眼視域とにそれぞれ分離されて結像される。例えば、第１複屈折素子３４ａから出射された光は、レンチキュラーレンズシート３５を介して左眼視域に、第２複屈折素子３４ｂから出射された光は、右眼視域にそれぞれガイドされうる。
【００３９】
公知のように、視聴距離で左眼視域と右眼視域との間の間隔は約６５ｍｍであることが望ましい。このために、レンチキュラーレンズシート３５のレンチキュラーレンズ素子間のピッチは、複屈折素子アレイ３４の第１複屈折素子３４ａ及び第２複屈折素子３４ｂの対の間のピッチと同じであるか、望ましくは、それより若干小さいことが望ましい。また、レンチキュラーレンズシート３５と複屈折素子アレイ３４との間の距離は、レンチキュラーレンズ素子の焦点距離と同じであるか、望ましくは、それより若干大きいことが望ましい。図１２に示すように、レンチキュラーレンズシート３５と複屈折素子アレイ３４との間の位置を固定させるために、レンチキュラーレンズシート３５と複屈折素子アレイ３４との間に透明基板３６を配置できる。
【００４０】
以下、図１３を参照して、本発明の望ましい実施形態に係る立体映像ディスプレイ装置３０の動作について詳細に説明する。以下では、単に説明上の便宜のために、偏光板３２は、水平方向の偏光方向を有し、液晶ディスプレイパネル３７の入射側偏光面３８ａは、垂直方向の偏光方向を有すると仮定する。また、分割型偏光スイッチ３３のそれぞれのセグメントは、入射光の偏光方向を変換させない第１状態、入射光の偏光方向を４５°ほど変換させる第２状態、及び入射光の偏光方向を９０°ほど変換させる第３状態を有すると仮定する。また、第１複屈折素子３４ａは、位相を遅延させず、第２複屈折素子３４ｂは、半波長（λ／２）ほど位相遅延させるリターダであると仮定する。
【００４１】
まず、液晶ディスプレイパネル３７は、左眼用映像または右眼用映像をディスプレイし始める。それにより、液晶ディスプレイパネル３７の映像走査時間と同期して、偏光スイッチ３３及びバックライトユニット３１の各セグメントがスイッチングされる。このとき、クロストークを防止するために、偏光スイッチ３３の各セグメントは、それに対応する液晶ディスプレイパネル３７で映像が走査され始める時点より、偏光スイッチング動作が所定時間遅延され始めるように制御される。前述のように、遅延時間がＤであり、隣接セグメント間の動作時間の間隔をＳとするとき、最適の遅延時間は０.８＊Ｓｍｓになる。
【００４２】
一方、偏光スイッチ３３の各セグメントは、それに対応する液晶ディスプレイパネル３７でディスプレイされる映像が、左眼用であるか、または右眼用であるかによって偏光状態が変わるようにスイッチングされる。例えば、偏光スイッチ３３の一つのセグメントが第１状態にある場合、偏光板３２を透過して、そのセグメントに入射する光は、その偏光方向が変換されない。したがって、そのセグメントを透過した光は、水平方向の偏光方向を有する。その後、光は、第１複屈折素子３４ａ及び第２複屈折素子３４ｂをそれぞれ透過する。このとき、第１複屈折素子３４ａを透過した光は、そのまま水平方向の偏光方向を有するが、第２複屈折素子３４ｂを透過した光は、偏光方向が９０°変換されて、垂直方向の偏光方向を有する。このように、第１複屈折素子３４ａ及び第２複屈折素子３４ｂを透過した光は、レンチキュラーレンズシート３５によりそれぞれ左眼視域と右眼視域とに分離されてガイドされる。その後、第１複屈折素子３４ａを透過した光は、液晶ディスプレイパネル３７の入射側偏光面３８ａと直交する偏光を有するため遮断される。第２複屈折素子３４ｂを透過した光は、液晶ディスプレイパネル３７の入射側偏光面３８ａに平行なので、液晶ディスプレイパネル３７を通過して右眼視域Ｒに結像されうる。したがって、第１状態にある偏光スイッチ３３のセグメントに対応する液晶ディスプレイパネル３７が右眼用映像をディスプレイすれば、ユーザは、自身の右眼を通じて右眼用映像のみを感知する。
【００４３】
また、偏光スイッチ３３の一つのセグメントが第３状態にある場合、そのセグメントを透過する光は、その偏光方向が９０°変換される。したがって、そのセグメントを透過した光は、垂直方向の偏光方向を有する。その後、光は、第１複屈折素子３４ａ及び第２複屈折素子３４ｂをそれぞれ透過する。このとき、第１複屈折素子３４ａを透過した光は、そのまま垂直方向の偏光方向を有するが、第２複屈折素子３４ｂを透過した光は、偏光方向が再び９０°変換されて水平方向の偏光方向を有する。その後、光は、レンチキュラーレンズシート３５によりそれぞれ左眼視域と右眼視域とに分離されてガイドされる。このとき、第２複屈折素子３４ａを透過した光は、液晶ディスプレイパネル３７の入射側偏光面３８ａと直交する偏光を有するため遮断される。一方、第１複屈折素子３４ｂを透過した光は、液晶ディスプレイパネル３７の入射側偏光面３８ａに平行なので、液晶ディスプレイパネル３７を通過して左眼視域Ｌに結像されうる。したがって、第３状態にある偏光スイッチ３３のセグメントに対応する液晶ディスプレイパネル３７が左眼用映像をディスプレイすれば、ユーザは、自身の左眼を通じて左眼用映像のみを感知する。
【００４４】
このような原理によって、右眼用映像をディスプレイしている液晶ディスプレイパネル３７の画素部分に対応する偏光スイッチ３３のセグメントが第１状態にスイッチングされ、左眼用映像をディスプレイしている液晶ディスプレイパネル３７の画素部分に対応する偏光スイッチ３３のセグメントが第３状態にスイッチングされれば、ユーザは、立体映像を鑑賞することができる。このとき、前述のように、クロストークを防止するために、偏光スイッチ３３の各セグメントは、それに対応する液晶ディスプレイパネル３７で映像が走査され始める時点より、偏光スイッチング動作が所定時間遅延され始めるように制御される。
【００４５】
一方、偏光スイッチ３３が第２状態にある場合、偏光板３２を透過して偏光スイッチ３３に入射する光は、偏光方向が４５°変換される。したがって、偏光スイッチ３３を透過した光は、４５°方向の偏光方向を有する。その後、光は、第１複屈折素子３４ａ及び第２複屈折素子３４ｂをそれぞれ透過する。このとき、第１複屈折素子３４ａを透過した光は、そのまま４５°方向の偏光方向を有し、第２複屈折素子３４ｂを透過した光は、偏光方向が９０°変換されて、１３５°方向の偏光方向を有する。その結果、第１複屈折素子３４ａ及び第２複屈折素子３４ｂを透過した光は、何れも液晶ディスプレイパネル３７を通過して、左眼視域及び右眼視域に結像される。したがって、液晶ディスプレイパネル３７が２Ｄ映像をディスプレイすれば、ユーザは、自身の左眼及び右眼を通じて２Ｄ映像を鑑賞することができる。本実施形態によれば、２Ｄ映像のディスプレイ中にはクロストークが発生する恐れがないため、偏光スイッチ３３の全体セグメントが同時に第２状態を維持していてもよい。
【産業上の利用可能性】
【００４６】
本発明は、映像ディスプレイ装置に関連した技術分野に好適に適用できる。
［付記］
付記（１）：
左眼用映像及び右眼用映像を所定の周期で画面全体に交互にディスプレイする時分割立体映像ディスプレイ装置において、
ホールドタイプのディスプレイパネルと、
前記ディスプレイパネルの全面に配置されたものであって、入射光の偏光方向を変換させるように独立的に駆動されるＮ個のセグメントに分割された分割型偏光スイッチと、
前記分割型偏光スイッチのそれぞれのセグメントが、そのセグメントに対応するディスプレイパネルの映像走査時間に同期されて駆動されるように制御する制御部と、を備え、
前記制御部は、前記分割型偏光スイッチの最初のセグメントに駆動信号が印加される時点が、前記ディスプレイパネルに垂直同期信号が印加された後に映像が走査され始める時点より遅延するように制御することを特徴とする立体映像ディスプレイ装置。
付記（２）：
前記分割型偏光スイッチの最初のセグメントに印加される駆動信号の遅延時間をＤとし、分割型偏光スイッチの隣接する二つのセグメント間の駆動時間の間隔をＳとするとき、Ｄ＝０.８＊Ｓｍｓであることを特徴とする付記（１）に記載の立体映像ディスプレイ装置。
付記（３）：
前記ディスプレイパネルの一つのフレームの周期をＴとし、前記ディスプレイパネルに垂直同期信号が印加された後に映像が走査され始めるまでのブランク時間をＢとするとき、Ｓ＝（Ｔ−Ｂ）／Ｎであることを特徴とする付記（２）に記載の立体映像ディスプレイ装置。
付記（４）：
前記制御部は、前記偏光スイッチのスイッチング開始時点を０〜Ｔまで調節できる遅延部をさらに備えることを特徴とする付記（３）に記載の立体映像ディスプレイ装置。
付記（５）：
前記ホールドタイプのディスプレイパネルは、ＬＣＤであることを特徴とする付記（３）に記載の立体映像ディスプレイ装置。
付記（６）：
前記ホールドタイプのディスプレイパネルは、ＰＤＰ、ＯＬＥＤ及びＦＥＤのうち何れか一つであり、前記ディスプレイパネルと分割型偏光スイッチとの間に線偏光板が配置されることを特徴とする付記（１）に記載の立体映像ディスプレイ装置。
付記（７）：
前記立体映像ディスプレイ装置は、偏光眼鏡式であることを特徴とする付記（１）に記載の立体映像ディスプレイ装置。
付記（８）：
ホールドタイプのディスプレイパネルと、入射光の偏光方向を変換させるように独立的に駆動されるＮ個のセグメントに分割された分割型偏光スイッチと、前記分割型偏光スイッチのそれぞれのセグメントが、そのセグメントに対応するディスプレイパネルの映像走査時間に同期されて駆動されるように制御する制御部と、を備える時分割立体映像ディスプレイ装置の駆動方法であって、
前記制御部は、前記分割型偏光スイッチの最初のセグメントに駆動信号が印加される時点が、前記ディスプレイパネルに垂直同期信号が印加された後に映像が走査され始める時点より遅延するように制御することを特徴とする立体映像ディスプレイ装置の駆動方法。
付記（９）：
前記分割型偏光スイッチの最初のセグメントに印加される駆動信号の遅延時間をＤとし、分割型偏光スイッチの隣接する二つのセグメント間の駆動時間の間隔をＳとするとき、Ｄ＝０.８＊Ｓｍｓであることを特徴とする付記（８）に記載の立体映像ディスプレイ装置の駆動方法。
付記（１０）：
前記ディスプレイパネルの一つのフレームの周期をＴとし、前記ディスプレイパネルに垂直同期信号が印加された後に映像が走査され始めるまでのブランク時間をＢとするとき、Ｓ＝（Ｔ−Ｂ）／Ｎであることを特徴とする付記（９）に記載の立体映像ディスプレイ装置の駆動方法。
付記（１１）：
前記ホールドタイプのディスプレイパネルは、ＬＣＤであることを特徴とする付記（８）に記載の立体映像ディスプレイ装置の駆動方法。
付記（１２）：
バックライトユニットと、
前記バックライトユニットから放出された光が特定の偏光方向のみを有するようにする偏光板と、
電気的制御によって入射光の偏光方向を変換させる偏光スイッチと、
複数の第１複屈折素子及び第２複屈折素子が交互に形成されたものであって、前記第１複屈折素子及び第２複屈折素子を透過した光の偏光方向が相互直交するように、入射光の偏光方向を変換させる複屈折素子アレイと、
入射光を第１視域と第２視域とに分離して出射させるレンチキュラーレンズシートと、
映像をディスプレイする液晶ディスプレイパネルとを備え、
前記偏光スイッチは、前記液晶ディスプレイパネルの映像走査時間に同期されて順次にスイッチングされるＮ個のセグメントに分割されており、前記偏光スイッチの最初のセグメントに駆動信号が印加される時点が、前記液晶ディスプレイパネルに垂直同期信号が印加された後に映像が走査され始める時点より遅延するように制御されることを特徴とする立体映像ディスプレイ装置。
付記（１３）：
前記偏光スイッチの最初のセグメントに印加される駆動信号の遅延時間をＤとし、偏光スイッチの隣接する二つのセグメント間の駆動時間の間隔をＳとするとき、Ｄ＝０.８＊Ｓｍｓであることを特徴とする付記（１２）に記載の立体映像ディスプレイ装置。
付記（１４）：
前記液晶ディスプレイパネルの一つのフレームの周期をＴとし、前記液晶ディスプレイパネルに垂直同期信号が印加された後に映像が走査され始めるまでのブランク時間をＢとするとき、Ｓ＝（Ｔ−Ｂ）／Ｎであることを特徴とする付記（１３）に記載の立体映像ディスプレイ装置。
付記（１５）：
前記偏光スイッチのそれぞれのセグメントは、透過光の偏光方向の相異なる第１状態ないし第３状態の間でスイッチングされることを特徴とする付記（１２）に記載の立体映像ディスプレイ装置。
付記（１６）：
前記偏光スイッチは、入射光の偏光方向を変換させない第１状態、入射光の偏光方向を４５°ほど変換させる第２状態、及び入射光の偏光方向を９０°ほど変換させる第３状態の間でスイッチングされることを特徴とする付記（１５）に記載の立体映像ディスプレイ装置。
付記（１７）：
前記複屈折素子アレイは、複数の垂直の第１複屈折素子及び第２複屈折素子を水平方向に沿って交互に配列することによって形成されたことを特徴とする付記（１２）に記載の立体映像ディスプレイ装置。
付記（１８）：
前記レンチキュラーレンズシートは、前記複屈折素子アレイの複屈折素子と平行である複数の垂直のレンチキュラーレンズ素子が水平方向に沿って配列されて形成されたことを特徴とする付記（１７）に記載の立体映像ディスプレイ装置。
付記（１９）：
前記バックライトユニットは、前記液晶ディスプレイパネルの映像走査時間に同期されて順次にスイッチングされるＮ個のセグメントに分割されていることを特徴とする付記（１２）に記載の立体映像ディスプレイ装置。
付記（２０）：
前記バックライトユニット及び偏光スイッチの相互対応するセグメントは、同時にスイッチングされることを特徴とする付記（１９）に記載の立体映像ディスプレイ装置。
【図面の簡単な説明】
【００４７】
【図１】ＣＲＴを利用した従来の時分割立体映像ディスプレイ装置を例示的に示す図である。
【図２】ＣＲＴを利用した従来の時分割立体映像ディスプレイ装置を例示的に示す図である。
【図３】ディスプレイ装置で、左右眼用映像を走査する過程を経時的に示す図である。
【図４】ＣＲＴを利用した従来の時分割立体映像ディスプレイ装置で、分割型偏光スイッチを駆動する方式を示すタイミング図である。
【図５】図４に示す分割型偏光スイッチの駆動方式を、ＬＣＤを利用した時分割立体映像ディスプレイ装置に適用する場合のタイミング図である。
【図６】ＬＣＤを利用した本発明に係る眼鏡式時分割立体映像ディスプレイ装置を例示的に示す図である。
【図７】本発明によって、ＬＣＤを利用した時分割立体映像ディスプレイ装置で分割型偏光スイッチを駆動する方式を示すタイミング図である。
【図８】本発明によって、ＬＣＤを利用した時分割立体映像ディスプレイ装置で分割型偏光スイッチを駆動する方式を示すタイミング図である。
【図９】図７及び図８に示す分割型偏光スイッチの駆動方式による場合、前記分割型偏光スイッチのスイッチング動作とＬＣＤパネルの映像走査動作との同期化を示す図である。
【図１０Ａ】図４に示す分割型偏光スイッチの駆動方式を、ＬＣＤを利用した時分割立体映像ディスプレイ装置に適用する場合に発生するクロストークを示すグラフである。
【図１０Ｂ】図４に示す分割型偏光スイッチの駆動方式を、ＬＣＤを利用した時分割立体映像ディスプレイ装置に適用する場合に発生するクロストークを示すグラフである。
【図１１Ａ】図７及び図８に示す分割型偏光スイッチの駆動方式を、ＬＣＤを利用した時分割立体映像ディスプレイ装置に適用する場合に発生するクロストークを示すグラフである。
【図１１Ｂ】図７及び図８に示す分割型偏光スイッチの駆動方式を、ＬＣＤを利用した時分割立体映像ディスプレイ装置に適用する場合に発生するクロストークを示すグラフである。
【図１２】ＬＣＤを利用した本発明に係る無眼鏡式時分割立体映像ディスプレイ装置の構造を例示的に示す断面図である。
【図１３】図１２に示す無眼鏡式時分割立体映像ディスプレイ装置の動作を例示的に示す斜視図である。
【符号の説明】
【００４８】
３０    時分割立体映像ディスプレイ装置
３１    バックライトユニット
３２    偏光板
３３    偏光スイッチ
３４ａ  第１複屈折素子
３４ｂ  第２複屈折素子
３４    複屈折素子アレイ
３５    レンチキュラーレンズシート
３６    透明基板
３７    液晶ディスプレイパネル
３８ａ、３８ｂ  偏光面
【図１】
0005426078.tif 000003
【図２】
0005426078.tif 000004
【図３】
0005426078.tif 000005
【図４】
0005426078.tif 000006
【図５】
0005426078.tif 000007
【図６】
0005426078.tif 000008
【図７】
0005426078.tif 000009
【図８】
0005426078.tif 000010
【図９】
0005426078.tif 000011
【図１０Ａ】
0005426078.tif 000012
【図１０Ｂ】
0005426078.tif 000013
【図１１Ａ】
0005426078.tif 000014
【図１１Ｂ】
0005426078.tif 000015
【図１２】
0005426078.tif 000016
【図１３】
0005426078.tif 000017